(57)【特許請求の範囲】
【請求項１】
入力音声信号にＦＭ変調を施して得たＦＭ変調音声信号を磁気テープの走行方向に対して傾斜した傾斜トラックに記録すると共に、入力映像信号に含まれる輝度信号にＦＭ変調を施して得たＦＭ変調輝度信号を、前記傾斜トラックに上書き記録する映像音声信号記録装置において、
前記入力映像信号に含まれる前記輝度信号を出力する輝度信号出力手段と、
前記入力映像信号における水平同期信号を出力する同期分離出力手段と、
前記水平同期信号と略同一の擬似水平同期信号を出力する擬似同期信号出力手段と、
入力信号の信号レベルに応じた周波数を有する出力信号を得ると共に、入来するゲートパルスのゲート期間における前記出力信号の周波数が所定の周波数になるよう設定するＦＭ変調手段と、
前記入力映像信号の有無を検出する映像信号検出手段と、
前記ＦＭ変調手段からの前記出力信号を前記傾斜トラックに上書き記録する記録手段とを備え、
前記映像信号検出手段にて前記入力映像信号を検出した場合には、前記ＦＭ変調手段に対して、前記輝度信号を前記入力信号として供給すると共に、前記水平同期信号を前記ゲートパルスとして供給する一方、前記映像信号検出手段にて前記入力映像信号を検出しない場合には、前記ＦＭ変調手段に対して、所定レベルの信号を前記入力信号として供給すると共に、前記擬似水平同期信号を前記ゲートパルスとして供給するようにしたことを特徴とする映像音声信号記録装置。
【請求項２】
前記ＦＭ変調音声信号の中心周波数は、１．３ＭＨｚ及び１．７ＭＨｚである一方、前記所定の周波数は、３．４ＭＨｚに設定されていることを特徴とする請求項１記載の映像音声信号記録装置。
【発明の詳細な説明】
【０００１】
【発明の属する技術分野】
本発明は、映像信号と音声信号とを磁気テープに記録する映像音声信号記録装置に関し、特に映像信号に含まれる輝度信号と音声信号とを夫々磁気テープ上にＦＭ変調記録する映像音声信号記録装置に関する。
【０００２】
【従来の技術】
映像信号と音声信号とを磁気テープに記録する映像音声信号記録装置の１つとして、ＶＨＳ（登録商標）方式の記録装置が知られている。このＶＨＳ方式の記録装置では、映像信号に含まれる輝度信号により搬送波をＦＭ変調して得たＦＭ変調輝度信号と、映像信号に含まれる色信号を低域変換した低域変換色信号とを加算した記録映像信号をテープ走行方向に対して傾斜したビデオトラックに記録している。
【０００３】
そして、ＶＨＳ方式の記録装置の中には、音声信号をテープ走行方向に設けられるリニアトラックのみならず、前記ビデオトラックの深層部分に記録するものがある。ここで、ビデオトラックの深層部分に記録される音声信号は、ＦＭ変調輝度信号に比べ低い周波数のＦＭ変調音声信号として磁気テープの深層部分に記録される。
【０００４】
このようなＦＭ変調音声信号と記録映像信号との重畳記録の際、ＦＭ変調音声信号を磁気テープの深層部分に記録した後に、記録映像信号を磁気テープの表層部分に記録するため、先に記録したＦＭ変調音声信号が記録映像信号により全て上書き消去されることはなく、再生装置ではＦＭ変調音声信号と記録映像信号とを夫々再生することが可能となる。
【０００５】
図２は、このようにＦＭ変調音声信号をビデオトラックの深層部分に記録する記録装置における輝度信号処理系を説明するためのブロック図である。同図において、１は入力される輝度信号にエンファシス、ホワイト・ダーククリップ等の処理を施す輝度信号処理回路、２は輝度信号処理回路１の出力する信号を増幅する可変アンプ、３は可変アンプ２の出力に応じた周波数のＦＭ変調輝度信号を出力する変調回路であり、輝度信号処理回路１の出力信号は、輝度信号処理系で必要な処理を終えた信号となっている。
【０００６】
また、４は入力される輝度信号から水平同期信号を分離する同期分離回路、５は同期分離回路４の出力する水平同期信号をゲートパルスとして用い、変調回路３が出力するＦＭ変調輝度信号と基準周波数信号とを比較することで、水平同期信号期間に変調回路３が出力するＦＭ変調輝度信号の周波数がＮＴＳＣ信号を記録する場合では３．４ＭＨｚとなるよう可変アンプ２のゲインを制御する検波回路であり、可変アンプ２、変調回路３、検波回路５によりＦＭ変調自動調整部１０が形成される。
【０００７】
このように、図２に示す記録装置では、ＦＭ変調自動調整部１０にて形成されるループにより、映像信号における水平同期信号期間の信号、つまりシンクチップレベルが３．４ＭＨｚの周波数信号として出力されるよう可変アンプ２のゲインを自動調整している。
【０００８】
なお、ここでは詳述しないが、音声信号は、Ｌチャンネル及びＲチャンネルが夫々１．３ＭＨｚ及び１．７ＭＨｚの中心周波数を有するＦＭ変調音声信号としてビデオトラックの深層部分に記録される。
【０００９】
【発明が解決しようとする課題】
ところが以上のように、可変アンプ２のゲインを自動調整可能な記録装置では、映像信号を記録せずに音声信号のみを記録するとビデオトラックに記録した信号の影響で、音声信号を正常に再生できなくなることがあった。
【００１０】
映像信号を記録せずに音声信号のみを記録する場合には、輝度信号処理回路１に対する入力信号が存在しない場合、あるいは輝度信号処理回路１に不定の信号が入力される場合等が考えられるが、いずれの場合にも同期分離回路４に同様の信号が入力されるため、同期分離回路４が正常な動作をしない。
【００１１】
従って、ＦＭ変調自動調整部１０が可変アンプ２のゲインを適切に設定することができず、その結果変調回路３の出力するＦＭ信号の周波数が音声信号におけるＬチャンネル又はＲチャンネルの周波数に近づくことがあり、このような場合には、音声信号の再生に障害が生じた。
【００１２】
【課題を解決するための手段】
以上の課題を解決するために、本発明に係る映像音声信号記録装置は、
入力音声信号にＦＭ変調を施して得たＦＭ変調音声信号を磁気テープの走行方向に対して傾斜した傾斜トラックに記録すると共に、入力映像信号に含まれる輝度信号にＦＭ変調を施して得たＦＭ変調輝度信号を、前記傾斜トラックに上書き記録する映像音声信号記録装置において、
前記入力映像信号に含まれる前記輝度信号を出力する輝度信号出力手段（１）と、
前記入力映像信号における水平同期信号を出力する同期分離出力手段（４）と、
前記水平同期信号と略同一の擬似水平同期信号を出力する擬似同期信号出力手段（７）と、
入力信号の信号レベルに応じた周波数を有する出力信号を得ると共に、入来するゲートパルスのゲート期間における前記出力信号の周波数が所定の周波数になるよう設定するＦＭ変調手段（１０）と、
前記入力映像信号の有無を検出する映像信号検出手段（６）と、
前記ＦＭ変調手段からの前記出力信号を前記傾斜トラックに上書き記録する記録手段とを備え、
前記映像信号検出手段にて前記入力映像信号を検出した場合には、前記ＦＭ変調手段に対して、前記輝度信号を前記入力信号として供給すると共に、前記水平同期信号を前記ゲートパルスとして供給する一方、前記映像信号検出手段にて前記入力映像信号を検出しない場合には、前記ＦＭ変調手段に対して、所定レベルの信号を前記入力信号として供給すると共に、前記擬似水平同期信号を前記ゲートパルスとして供給するようにしたことを特徴とするものである。
【００１３】
また、前記ＦＭ変調音声信号の中心周波数は、１．３ＭＨｚ及び１．７ＭＨｚである一方、前記所定の周波数は、３．４ＭＨｚに設定されていることを特徴とするものである。
【００１４】
【発明の実施の形態】
本発明に係る映像音声信号記録装置は、映像信号を記録せずに音声信号のみを記録する場合、ＦＭ変調輝度信号を得るための変調回路の出力が音声信号におけるＬチャンネル又はＲチャンネルの周波数に近づくことのないよう、変調回路の出力を一定の周波数に制御するものであり、以下その詳細を説明する。
【００１５】
図１は、本発明に係る映像音声信号記録装置の輝度信号処理系を説明するためのブロック図であり、図２で示した記録装置と同一の構成要素については、同一符号を付してある。また、ここで示す映像音声信号記録装置は、ＶＨＳ方式に準拠した記録装置であり、図２における説明と同様にＬチャンネル及びＲチャンネルの中心周波数が夫々１．３ＭＨｚ及び１．７のＦＭ変調音声信号をビデオトラックの深層部分に記録しているものとする。
【００１６】
図１において、１は入力される輝度信号にエンファシス、ホワイト・ダーククリップ等の処理を施す輝度信号処理回路、ＳＷ１は輝度信号処理回路１の出力する信号あるいは所定電位の信号の何れか一方を選択的に出力する第１の切替器、２は第１の切替器ＳＷ１の出力する信号を増幅する可変アンプ、３は可変アンプ２の出力に応じた周波数のＦＭ変調輝度信号を出力する変調回路であり、輝度信号処理回路１の出力信号は、輝度信号処理系で必要な処理を終えた信号となっている。
【００１７】
また、４は入力される輝度信号から水平同期信号を分離する同期分離回路、６は同期分離回路４の出力する水平同期信号に基づき映像信号の有無を検出する映像検出回路、７は水平同期信号とほぼ一致する擬似水平同期信号を発生する信号発生器、ＳＷ２は同期分離回路の出力する水平同期信号あるいは信号発生器７の出力する擬似水平同期信号の何れか一方を選択的に出力する第２の切替器である。
【００１８】
なお、第１の切替器ＳＷ１及び第２の切替器ＳＷ２は、映像検出回路６での映像信号の有無の検出結果に応じて、その出力が切替え制御され、映像信号が存在する場合には、第１の切替器ＳＷ１が輝度信号処理回路１の出力信号を出力する一方第２の切替器ＳＷ２が同期分離回路４の出力する水平同期信号を出力し、映像信号が存在しない場合には、第１の切替器ＳＷ１が所定電位の信号を出力する一方第２の切替器ＳＷ２が信号発生器７の出力する擬似水平同期信号を出力する。
【００１９】
また、５は第２の切替器ＳＷ２が出力する水平同期信号あるいは擬似水平同期信号をゲートパルスとして用い、変調回路３が出力するＦＭ変調輝度信号と基準周波数信号とを比較することで、水平同期信号期間に変調回路３が出力するＦＭ変調輝度信号の周波数が３．４ＭＨｚとなるよう可変アンプ２のゲインを制御する検波回路であり、可変アンプ２、変調回路３、検波回路５によりＦＭ変調自動調整部１０が形成される。
【００２０】
以下、本発明に係る映像音声信号記録装置の動作について説明する。
まず、映像信号と音声信号とを記録する際には、入力される輝度信号は輝度信号処理回路１にてエンファシス、ホワイト・ダーククリップ等の処理が施され、また、この輝度信号に基づき同期分離回路４で水平同期信号が分離される。
【００２１】
そして、映像検出回路６は、同期分離回路４が出力する水平同期信号に基づき映像信号の有無を検出し、この場合には水平同期信号が検出されるため第１の切替器ＳＷ１が輝度信号処理回路１の出力を選択出力し、第２の切替器ＳＷ２が同期分離回路４の出力を選択出力するよう各切替器を制御する。従って、検波回路５は第２の切替器ＳＷ２が出力する同期分離回路４からの水平同期信号をゲートパルスとして用いる。
【００２２】
第１の切替器ＳＷ１の出力する信号は図示しないＩ／Ｖ変換器によりその電圧量が電流量に変換された後に可変アンプ２の入力に供給され、可変アンプ２は検波回路５の制御に基づきそのゲインが設定されるが、検波回路５は、変調回路３の出力と基準周波数信号とを比較しつつ、ゲートパルスの期間の信号レベル、つまり水平同期信号のシンクチップレベルが３．４ＭＨｚの周波数となるよう可変アンプ２のゲインを設定する。
【００２３】
このようにして、可変アンプ２にて所定のゲインで増幅された輝度信号は、映像信号のシンクチップレベルが３．４ＭＨｚで、ホワイトピークレベルが４．４ＭＨｚとなる周波数偏移を有するＦＭ変調輝度信号として出力される。そして、低域変換処理を終えた低域変換色信号と加算された後に、磁気テープ上の傾斜方向に記録されるＬチャンネル及びＲチャンネルよりなるＦＭ変調音声信号に上書きするようにして磁気テープ上に記録される。
【００２４】
一方、音声信号のみを記録する際には、同期分離回路４が正常に動作しないため、映像検出回路６では水平同期信号が検出されない。従って、この場合には第１の切替器ＳＷ１が所定電位の信号を選択出力し、第２の切替器ＳＷ２が信号発生器７の出力を選択出力するよう映像検出回路６が各切替器を制御する。よって、検波回路５は第２の切替器ＳＷ２が出力する信号発生器７からの擬似水平同期信号をゲートパルスとして用いる。
【００２５】
ここで、可変アンプ２には第１の切替器ＳＷ１の出力する所定電位の信号が供給され、検波回路５には擬似水平同期信号がゲートパルスとして供給されるため、変調回路３の出力は、一定の周波数のＦＭ信号となる。つまり、検波回路５は、変調回路３の出力と基準周波数信号とを比較しつつ、ゲートパルスの期間の信号レベル、つまり擬似水平同期信号のシンクチップレベルが３．４ＭＨｚの周波数となるよう可変アンプ２のゲインを設定し、その際可変アンプ２の入力には所定電位の信号が入力されているため、変調回路３の出力は、３．４ＭＨｚの固定周波数の信号となる。
【００２６】
このようにして、３．４ＭＨｚの周波数信号は、色信号処理系からの信号と加算された後に、磁気テープ上に記録されるＬチャンネル及びＲチャンネルよりなるＦＭ変調音声信号に上書きするようにして磁気テープ上に記録される。なお、その際、映像信号が存在しないことに連動して色信号処理系の出力が停止するよう構成される場合には、変調回路３の出力のみがＦＭ変調音声信号に上書きされる。
【００２７】
従って、このようにして記録した磁気テープを再生する際には、ＦＭ変調音声信号に上書き記録した３．４ＭＨｚの周波数信号がＦＭ変調音声信号の再生に影響を及ぼすことはなく、夫々中心周波数が１．３ＭＨｚ及び１．７ＭＨｚのＦＭ音声信号を再生する際のＳ／Ｎを向上させることが可能となる。
【００２８】
なお、以上の説明では、信号発生器７が擬似水平同期信号を発生し、映像信号が検出されない場合には、ＦＭ変調自動調整部１０がこの擬似水平同期信号をゲートパルスとして可変アンプ２のゲインを設定した例を示したが、信号発生器７が同期分離回路４の出力する水平同期信号と同電位の信号を出力し、ＦＭ変調自動調整部１０が常に自動調整の動作をするよう構成しても構わない。
【００２９】
また、以上の説明では、映像検出回路６にて同期分離回路４の出力する水平同期信号を基に映像信号の有無を検出した例を示したが、同期分離回路４の前段にて、水平同期信号を用いずに映像信号の有無を検出しても構わないことは言うまでもない。
【発明の効果】
本発明によれば、映像信号を記録せず音声信号のみを記録する場合にＦＭ変調手段の出力するＦＭ信号がＦＭ変調音声信号の周波数帯域となることがないため、ＦＭ変調音声信号再生時のＳ／Ｎを向上させることができるという効果を奏する。
【図面の簡単な説明】
【図１】本発明に係る映像音声信号記録装置を説明するためのブロック図である。
【図２】従来の映像音声信号記録装置を説明するためのブロック図である。
【符号の説明】
１…輝度信号処理回路
２…可変アンプ
３…変調回路
４…同期分離回路
５…検波回路
６…映像検出回路
７…信号発生器
１０…ＦＭ変調自動調整部
ＳＷ１…第１の切替器
ＳＷ２…第２の切替器
【図１】
0003671797.tif 000002
【図２】
0003671797.tif 000003